【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
懸濁重合方法により低分子量の粒状ポリテトラフルオロエチレンまたは改質ポリテトラフルオロエチレンの製造方法であって、水性媒体、フリーラジカル開始剤、およびテロゲンを含む撹拌型反応容器内で加圧してテトラフルオロエチレンを重合する工程と、重合する間、前記反応容器の内容物を十分に撹拌してポリテトラフルオロエチレンまたは改質ポリテトラフルオロエチレンを凝固させる工程と、約１×１０６Ｐａ・Ｓ未満の溶融粘度を有する前記粒状ポリテトラフルオロエチレンまたは改質ポリテトラフルオロエチレンを前記反応容器から直接分離する工程と、を含むことを特徴とする方法。
【請求項２】
約１×１０6Ｐａ・Ｓ未満の溶融粘度、約８ｍ２／ｇ未満の比表面積、３重量ｐｐｍ以下の抽出可能なフッ化物レベル、約５以下の多分散度指数を有する低分子量のポリテトラフルオロエチレンまたは改質ポリテトラフルオロエチレン粉末であって、前記低分子量粉末の粒子が、約２〜約４０マイクロメーターの重量平均粒径を有し、前記粉末が約１マイクロメーター未満の粒径を有する粒子を実質的に含有しないことを特徴とする低分子量のポリテトラフルオロエチレンまたは改質ポリテトラフルオロエチレン粉末。
【手続補正２】
【補正対象書類名】明細書
【補正対象項目名】００５６
【補正方法】変更
【補正の内容】
【００５６】
【表１】
2006509072.tif 000001
なお、本発明の好ましい態様には以下のものが含まれる。
１．懸濁重合方法により低分子量の粒状ポリテトラフルオロエチレンまたは改質ポリテトラフルオロエチレンの製造方法であって、水性媒体、フリーラジカル開始剤、およびテロゲンを含む撹拌型反応容器内で加圧してテトラフルオロエチレンを重合する工程と、重合する間、前記反応容器の内容物を十分に撹拌してポリテトラフルオロエチレンまたは改質ポリテトラフルオロエチレンを凝固させる工程と、約１×１０６Ｐａ・Ｓ未満の溶融粘度を有する前記粒状ポリテトラフルオロエチレンまたは改質ポリテトラフルオロエチレンを前記反応容器から直接分離する工程と、を含むことを特徴とする方法。
２．前記反応容器の前記内容物の撹拌が、前記低分子量のポリテトラフルオロエチレンまたは改質ポリテトラフルオロエチレンの９０重量％より多くを凝固させるために十分であることを特徴とする１に記載の方法。
３．前記反応容器の前記内容物の撹拌が、前記低分子量のポリテトラフルオロエチレンまたは改質ポリテトラフルオロエチレンの９５重量％より多くを凝固させるために十分であることを特徴とする１に記載の方法。
４．前記反応容器の前記内容物の撹拌が、前記低分子量のポリテトラフルオロエチレンまたは改質ポリテトラフルオロエチレンの９８重量％より多くを凝固させるために十分であることを特徴とする１に記載の方法。
５．前記反応容器の前記内容物が界面活性剤を本質的に含有しないことを特徴とする１に記載の方法。
６．単離する前に前記反応容器の前記内容物が、１５％より多いポリマー固形分レベルを有することを特徴とする１に記載の方法。
７．単離する前に前記反応容器の前記内容物が、２０％より多いポリマー固形分レベルを有することを特徴とする１に記載の方法。
８．前記低分子量のポリテトラフルオロエチレンまたは改質ポリテトラフルオロエチレンが、照射を用いずに製造されることを特徴とする１に記載の方法。
９．前記テロゲンが、フッ素を含有しない有機化合物を含むことを特徴とする１に記載の方法。
１０．前記テロゲンが、１〜６個の炭素原子を含有する脂肪族炭化水素および１〜６個の炭素原子を含有する脂肪族ヒドロクロロカーボンからなる群から選択されることを特徴とする１に記載の方法。
１１．前記テロゲンが、１〜６個の炭素原子を含有する脂肪族炭化水素であることを特徴とする１０に記載の方法。
１２．前記重合工程が、テトラフルオロエチレンおよびテロゲンを含むプレチャージを前記反応容器内に提供する工程と、前記重合工程が進むにつれて追加のテトラフルオロエチレンを前記反応容器に導入する工程とによって行われ、前記テロゲンが、前記プレチャージ中に存在するテトラフルオロエチレンおよびテロゲンの合計量に基づいて約０．５モル％〜約２０モル％の濃度で存在することを特徴とする１に記載の方法。
１３．前記重合工程が、テトラフルオロエチレンおよびテロゲンを含むプレチャージを前記反応容器内に提供する工程と、前記重合工程が進むにつれて追加のテトラフルオロエチレンを前記反応容器に導入する工程とによって行われ、前記テロゲンが、前記プレチャージ中に存在するテトラフルオロエチレンおよびテロゲンの合計量に基づいて約０．５モル％〜約１０モル％の濃度で存在することを特徴とする、１に記載の方法。
１４．前記重合工程が、テトラフルオロエチレンおよびテロゲンを含むプレチャージを前記反応容器内に提供する工程と、前記重合工程が進むにつれて追加のテトラフルオロエチレンを前記反応容器に導入する工程とによって行われ、前記テロゲンが、前記プレチャージ中に存在するテトラフルオロエチレンおよびテロゲンの合計量に基づいて約０．５モル％〜約５モル％の濃度で存在することを特徴とする１に記載の方法。
１５．前記ポリテトラフルオロエチレンまたは改質ポリテトラフルオロエチレンが約１×１０２Ｐａ・Ｓ〜約１×１０６Ｐａ・Ｓの範囲の溶融粘度を有することを特徴とする１に記載の方法。
１６．前記粒状ポリテトラフルオロエチレンまたは改質ポリテトラフルオロエチレンを粉砕する工程をさらに含むことを特徴とする１に記載の方法。
１７．１に記載された方法によって製造されたポリテトラフルオロエチレンまたは改質ポリテトラフルオロエチレンの低分子量粉末。
１８．１６に記載された方法によって製造されたポリテトラフルオロエチレンまたは改質ポリテトラフルオロエチレンの低分子量粉末。
１９．約８ｍ２／ｇ未満の比表面積を有することを特徴とする１７に記載の低分子量粉末。
２０．約５ｍ２／ｇ未満の比表面積を有することを特徴とする１７に記載の低分子量粉末。
２１．約４ｍ２／ｇ未満の比表面積を有することを特徴とする１７に記載の低分子量粉末。
２２．約１ｍ２／ｇ〜約４ｍ２／ｇの比表面積を有することを特徴とする１７に記載の低分子量粉末。
２３．前記低分子量粉末の粒子が、約２〜約４０マイクロメーターの重量平均粒径を有し、前記粉末が約１マイクロメーター未満の粒径を有する粒子を実質的に含有しないことを特徴とする１７に記載の低分子量粉末。
２４．前記粒子が約２〜約１０のＤ９０／Ｄ１０粒径分布比を有することを特徴とする２３に記載の低分子量粉末。
２５．３重量ｐｐｍ以下の抽出可能なフッ化物レベルを有することを特徴とする１７に記載の低分子量粉末。
２６．１重量ｐｐｍ以下の抽出可能なフッ化物レベルを有することを特徴とする１７に記載の低分子量粉末。
２７．約５以下の多分散度指数を有することを特徴とする１７に記載の低分子量粉末。
２８．約４．５以下の多分散度指数を有することを特徴とする１７に記載の低分子量粉末。
２９．約４以下の多分散度指数を有することを特徴とする１７に記載の低分子量粉末。
３０．１に記載の方法によって製造されたポリテトラフルオロエチレンまたは改質ポリテトラフルオロエチレンの低分子量粉末を含むことを特徴とするインク組成物への添加剤。
３１．１に記載の方法によって製造されたポリテトラフルオロエチレンまたは改質ポリテトラフルオロエチレンの低分子量粉末を含むことを特徴とするプラスチック組成物への添加剤。
３２．約１×１０6Ｐａ・Ｓ未満の溶融粘度、約８ｍ２／ｇ未満の比表面積、３重量ｐｐｍ以下の抽出可能なフッ化物レベル、約５以下の多分散度指数を有する低分子量のポリテトラフルオロエチレンまたは改質ポリテトラフルオロエチレン粉末であって、前記低分子量粉末の粒子が、約２〜約４０マイクロメーターの重量平均粒径を有し、前記粉末が約１マイクロメーター未満の粒径を有する粒子を実質的に含有しないことを特徴とする低分子量のポリテトラフルオロエチレンまたは改質ポリテトラフルオロエチレン粉末。
３３．前記粒子が約２〜約１０のＤ９０／Ｄ１０粒径分布比を有することを特徴とする３４に記載の低分子量のポリテトラフルオロエチレンまたは改質ポリテトラフルオロエチレン粉末。
３４．前記溶融粘度が約１×１０２Ｐａ・Ｓ〜約１×１０6Ｐａ・Ｓの範囲であることを特徴とする３４に記載の低分子量のポリテトラフルオロエチレンまたは改質ポリテトラフルオロエチレン粉末。
３５．前記抽出可能なフッ化物レベルが１重量ｐｐｍ以下であることを特徴とする３４に記載の低分子量のポリテトラフルオロエチレンまたは改質ポリテトラフルオロエチレン粉末。
３６．前記比表面積が約５ｍ２／ｇ未満であることを特徴とする３４に記載の低分子量のポリテトラフルオロエチレンまたは改質ポリテトラフルオロエチレン粉末。
３７．前記多分散度指数が約５．０以下であることを特徴とする３４に記載の低分子量のポリテトラフルオロエチレンまたは改質ポリテトラフルオロエチレン粉末。
３８．前記多分散度指数が約４．５以下であることを特徴とする３４に記載の低分子量のポリテトラフルオロエチレンまたは改質ポリテトラフルオロエチレン粉末。
３９．前記多分散度指数が約４．０以下であることを特徴とする３４に記載の低分子量のポリテトラフルオロエチレンまたは改質ポリテトラフルオロエチレン粉末。
４０．３４に記載のポリテトラフルオロエチレンまたは改質ポリテトラフルオロエチレンの低分子量粉末を含むことを特徴とするインク組成物への添加剤。
４１．３４に記載のポリテトラフルオロエチレンまたは改質ポリテトラフルオロエチレンの低分子量粉末を含むことを特徴とするプラスチック組成物への添加剤。